【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、 
未だ開始されていない変動表示について保留情報を記憶する保留記憶手段と、 
前記保留記憶手段に記憶された保留情報に対応する保留表示を複数種類の表示態様にて表示可能な保留表示手段と、 
前記保留情報に基づく変動表示が行なわれるときに、当該変動表示に対応する変動対応表示を複数種類の表示態様にて表示可能な変動対応表示手段と、 
前記保留表示手段により表示される保留表示の表示態様を変化可能な保留表示変化手段と、
前記変動対応表示手段により表示される変動対応表示の表示態様を変化可能な変動対応表示変化手段とを備え、
前記保留表示変化手段は、特定表示態様で保留表示が表示される場合に、当該保留表示に対応する保留情報に基づく変動表示が行なわれるまで当該保留表示の表示態様を変化させず、 
前記変動対応表示変化手段は、前記特定表示態様の保留表示に対応する保留情報に基づく変動表示が行なわれるときに、当該変動表示に対応する変動対応表示を変化可能であり、
前記特定表示態様の保留表示は、出現表示時に表示されず、所定タイミングでの保留表示の表示態様の変化により出現することが可能である、遊技機。
【請求項２】
変動表示を行ない、遊技者にとって有利な有利状態に制御可能な遊技機であって、 
未だ開始されていない変動表示について保留情報を記憶する保留記憶手段と、 
前記保留記憶手段に記憶された保留情報に対応する保留表示を複数種類の表示態様にて表示可能な保留表示手段と、 
前記保留情報に基づく変動表示が行なわれるときに、当該変動表示に対応する変動対応表示を複数種類の表示態様にて表示可能な変動対応表示手段と、 
前記保留表示手段により表示される保留表示の表示態様を変化可能な保留表示変化手段と、
前記変動対応表示手段により表示される変動対応表示の表示態様を変化可能な変動対応表示変化手段とを備え、
前記保留表示変化手段は、特定表示態様で保留表示が表示される場合に、特定表示態様と異なる表示態様で保留表示が表示される場合と比べて、当該保留表示に対応する保留情報に基づく変動表示が行なわれるまで当該保留表示の表示態様を変化させる割合が低く、
前記変動対応表示変化手段は、前記特定表示態様の保留表示に対応する保留情報に基づく変動表示が行なわれるときに、当該変動表示に対応する変動対応表示を変化可能であり、 
前記特定表示態様の保留表示は、出現表示時に表示されず、所定タイミングでの保留表示の表示態様の変化により出現することが可能である、遊技機。
【手続補正２】
【補正対象書類名】明細書
【補正対象項目名】０００７
【補正方法】変更
【補正の内容】
【０００７】
（１）  変動表示（特別図柄および演出図柄の変動表示等）を行ない、遊技者にとって有利な有利状態（大当り遊技状態等）に制御可能な遊技機（パチンコ遊技機１等）であって、 
未だ開始されていない変動表示について保留情報を記憶する保留記憶手段（遊技制御用マイクロコンピュータ５６０、ＲＡＭ５５、第１保留記憶バッファ、第２保留記憶バッファ等）と、 
前記保留記憶手段に記憶された保留情報に対応する保留表示（図１５の保留表示Ｈ等）を複数種類の表示態様にて表示可能な（図１６（Ｄ）、図１７（Ａ）〜（Ｋ）等）保留表示手段（演出表示装置９、保留表示エリア１８ｃ等）と、 
前記保留情報に基づく変動表示が行なわれるときに、当該変動表示に対応する変動対応表示（図１５のアクティブ表示ＡＨ等）を複数種類の表示態様にて表示可能な（図１６（Ｄ）、図１７（Ａ）〜（Ｋ）等）変動対応表示手段（演出表示装置９、アクティブ表示エリアＡＨＡ等）と、 
前記保留表示手段により表示される保留表示の表示態様を変化可能な保留表示変化手段（演出制御用マイクロコンピュータ１００、図１４のＳ８０１，Ｓ８０２、図２１のＳ６３４，Ｓ６３５等）と、
前記変動対応表示手段により表示される変動対応表示の表示態様を変化可能な変動対応表示変化手段（演出制御用マイクロコンピュータ１００、図１４のＳ８０１，Ｓ８０２、図２１のＳ６３４，Ｓ６３５等）とを備え、
前記保留表示変化手段は、特定表示態様で保留表示が表示される場合に、当該保留表示に対応する保留情報に基づく変動表示が行なわれるまで当該保留表示の表示態様を変化させず（図１７（Ａ）〜（Ｃ）のように保留シフト時に変化する演出パターンでは、紫色の特定表示態様が入賞時の保留表示の表示態様として選択されないので、図１５（Ａ）〜（Ｃ）のように、紫色の特定表示態様で保留表示されたときには、その保留表示に対応する保留記憶情報に基づく変動表示が実行されるまで、その表示態様が変化しない等。）、 
前記変動対応表示変化手段は、前記特定表示態様の保留表示に対応する保留情報に基づく変動表示が行なわれるときに、当該変動表示に対応する変動対応表示を変化可能であり（第１実施形態における図１７（Ｄ）〜（Ｆ）のようにアクティブ表示時に変化する演出パターンでは、紫の特定表示態様が入賞時の保留表示の表示態様として選択されるので、図１５（Ｄ）のように、紫色の特定表示態様で保留表示されたときには、その保留表示に対応する保留記憶情報に基づく変動表示が実行されるときにアクティブ表示が変化する等。）、
前記特定表示態様の保留表示は、出現表示時に表示されず、所定タイミングでの保留表示の表示態様の変化により出現することが可能である。
【手続補正３】
【補正対象書類名】明細書
【補正対象項目名】０００９
【補正方法】変更
【補正の内容】
【０００９】
（２）  変動表示（特別図柄および演出図柄の変動表示等）を行ない、遊技者にとって有利な有利状態（大当り遊技状態等）に制御可能な遊技機（第２実施形態のパチンコ遊技機１等）であって、 
未だ開始されていない変動表示について保留情報を記憶する保留記憶手段（遊技制御用マイクロコンピュータ５６０、ＲＡＭ５５、第１保留記憶バッファ、第２保留記憶バッファ等）と、 
前記保留記憶手段に記憶された保留情報に対応する保留表示を複数種類の表示態様にて表示可能な（図１６（Ｄ）、図１７（Ａ）〜（Ｋ）等）保留表示手段（演出表示装置９、保留表示エリア１８ｃ等）と、 
前記保留情報に基づく変動表示が行なわれるときに、当該変動表示に対応する変動対応表示（図１５のアクティブ表示ＡＨ等）を複数種類の表示態様にて表示可能な（図１６（Ｄ）、図１７（Ａ）〜（Ｋ）等）変動対応表示手段（演出表示装置９、アクティブ表示エリアＡＨＡ等）と、 
前記保留表示手段により表示される保留表示の表示態様を変化可能な保留表示変化手段（演出制御用マイクロコンピュータ１００、図１４のＳ８０１，Ｓ８０２、図２１のＳ６３４，Ｓ６３５等）と、
前記変動対応表示手段により表示される変動対応表示の表示態様を変化可能な変動対応表示変化手段（演出制御用マイクロコンピュータ１００、図１４のＳ８０１，Ｓ８０２、図２１のＳ６３４，Ｓ６３５等）とを備え、
前記保留表示変化手段は、特定表示態様で保留表示が表示される場合に、特定表示態様と異なる表示態様で保留表示が表示される場合と比べて、当該保留表示に対応する保留情報に基づく変動表示が行なわれるまで当該保留表示の表示態様を変化させる割合が低く、（第２実施形態に記載された、紫色のような特定表示態様で保留表示が表示される場合に、紫色と異なる、通常色、青色、緑色、および、赤色のような表示態様で保留表示が表示される場合と比べて、当該保留表示に対応する保留記憶情報に基づく変動表示が行なわれるまで当該保留表示の表示態様を変化させる割合が低い例等）、
前記変動対応表示変化手段は、前記特定表示態様の保留表示に対応する保留情報に基づく変動表示が行なわれるときに、当該変動表示に対応する変動対応表示を変化可能であり（第２実施形態に記載された、紫色の特定表示態様で保留表示されたときには、その保留表示に対応する保留情報に基づく変動表示が実行されるときにアクティブ表示が変化する等。）、
前記特定表示態様の保留表示は、出現表示時に表示されず、所定タイミングでの保留表示の表示態様の変化により出現することが可能である。